(57)【要約】【課題】表示部に複数の画面を分割表示する場合、分割表示される各画面の配置や大きさをユーザが自在に変更することができる携帯端末を提供すること。【解決手段】携帯端末１は、表示部５が設けられた表示面１５と、表示面１５の周りに設けられた複数の側面１１，１２，１３，１４と、を有する端末本体１０と、ユーザが選択する側面上の特定の位置を検出する位置検出手段３と、位置検出手段３によって検出された特定の位置を通る分割線に基づいて、表示部５に表示される画面を分割する表示制御手段１０１と、を備えることを特徴とする。【選択図】図１
2011209881.tif 000002
【特許請求の範囲】
【請求項１】
表示部が設けられた表示面と、前記表示面の周りに設けられた複数の側面と、を有する端末本体と、
ユーザが選択する前記側面上の特定の位置を検出する位置検出手段と、
前記位置検出手段によって検出された前記特定の位置を通る分割線に基づいて、前記表示部に表示される画面を分割する表示制御手段と、を備えることを特徴とする携帯端末。
【請求項２】
前記位置検出手段は、前記ユーザが選択する一の側面上の第一の位置と、前記ユーザが選択する前記一の側面と交差する他の側面上の第二の位置と、を検出し、
前記表示制御手段は、前記第一の位置を通る第一分割線と、前記第二の位置を通る第二分割線とに基づいて、前記表示部に表示される画面を分割する請求項１に記載の携帯端末。
【発明の詳細な説明】
【技術分野】
【０００１】
本発明は、携帯端末に関する。
【背景技術】
【０００２】
携帯電話機などの携帯端末には、端末本体の表面にユーザの指に対応する操作キーを配置したものがある（例えば、特許文献１を参照）。この従来の携帯端末では、５本の指に対応する操作キーの操作によって各種の入力操作を簡便に実施している。
【先行技術文献】
【特許文献】
【０００３】
【特許文献１】特開２００８−２９４５４２号公報
【発明の概要】
【発明が解決しようとする課題】
【０００４】
ところで、例えばタッチパネル操作式の携帯端末の表示部において、メール本文を表示する画面と文字入力画面とが同時に分割表示される場合、分割表示される各画面の配置や大きさは固定されており、ユーザが変更することはできない。例えば文字入力操作を簡便にするために、メール本文の表示画面よりも、文字入力画面を大きく表示させるなどといったことはできない。このように、表示部に複数の画面を分割表示する場合に、ユーザの好みに応じてその分割表示される各画面の配置や大きさを自在に変更することが望まれている。
【０００５】
本発明は、上記課題の解決のためになされたものであり、表示部に複数の画面を分割表示する場合に、分割表示される各画面の配置や大きさをユーザが自在に設定することができる携帯端末を提供することを目的とする。
【課題を解決するための手段】
【０００６】
上記課題の解決のため、本発明に係る携帯端末は、表示部が設けられた表示面と、表示面の周りに設けられた複数の側面と、を有する端末本体と、ユーザが選択する側面上の特定の位置を検出する位置検出手段と、位置検出手段によって検出された特定の位置を通る分割線に基づいて、表示部に表示される画面を分割する表示制御手段と、を備えることを特徴としている。
【０００７】
この携帯端末では、ユーザは、表示面の周りに設けられた側面のうち特定の位置を選択することができる。この選択された特定の位置は位置検出手段によって検出される。表示制御手段は、位置検出手段で検出されたこの特定の位置を通る分割線に基づいて、表示部に表示される画面を分割する。このように、ユーザの選択した側面の特定の位置を基準として、携帯端末の表示部の画面が分割表示される。したがって、分割表示される各画面の配置や大きさをユーザが自在に設定することができる。
【０００８】
また、位置検出手段は、ユーザが選択する一の側面上の第一の位置と、ユーザが選択する一の側面と交差する他の側面上の第二の位置と、を検出し、表示制御手段は、第一の位置を通る第一分割線と、第二の位置を通る第二分割線とに基づいて、表示部に表示される画面を分割することが好ましい。
【０００９】
この場合、ユーザの選択した所望の位置である第一の位置及び第二の位置を基準とする２つの分割線によって、表示部の画面を少なくとも３分割表示することができる。
【発明の効果】
【００１０】
本発明に係る携帯端末よれば、表示部に複数の画面を分割表示する場合、分割表示される各画面の配置や大きさをユーザが自在に設定することができる携帯端末を提供することができる。
【図面の簡単な説明】
【００１１】
【図１】図１は、本発明に係る携帯端末の一部を示す斜視図である。
【図２】図２（ａ）は、位置検出部を選択するための物理キーの固定状態を説明する図である。図２（ｂ）は、位置検出部を選択するための物理キーの移動状態を説明する図である。図２（ｃ）は、位置検出部を選択するための物理キーの固定状態を説明する図である。
【図３】図３は、本発明に係る携帯端末の機能的な構成要素を示すブロック図である。
【図４】図４（ａ）は、３つの物理キーが初期位置にあり第一画面が表示された例を示す図である。図４（ｂ）は、物理キーの移動により、第一画面及び第二画面が横に並んで２分割表示された例を示す図である。
【図５】図５（ａ）は、物理キーの移動により、第二画面のみが表示された例を示す図である。図５（ｂ）は、物理キーの移動により、第一画面及び第二画面が縦に並んで２分割表示された例を示す図である。
【図６】図６（ａ）は、物理キーの移動により、第一画面、第二画面、及び第三画面が３分割表示された例を示す図である。図６（ｂ）は、物理キーの移動により、第三画面及び第四画面が縦に並んで２分割表示された例を示す図である。
【図７】図７は、物理キーの移動により、第一画面、第二画面、第三画面、及び第四画面が４分割表示された例を示す図である。
【発明を実施するための形態】
【００１２】
以下、図面を参照しながら、本発明に係る携帯端末の好適な実施形態について詳細に説明する。図１は、本発明に係る携帯端末の一部を示す斜視図である。携帯端末１は、物理的には、ＣＰＵ、メモリ、通信インタフェイス、ハードディスク等の格納部、位置検出部３、物理キー４、液晶パネルディスプレイなどの表示部５、及び端末本体１０等を備えたタッチパネル操作式の携帯電話機である。
【００１３】
端末本体１０は直方体形状をなし、表示面１５と、表示面１５の反対側に対向配置された裏面１６と、表示面１５と裏面１６との間に存在する４つの側面（すなわち第一側面１１、第二側面１２、第三側面１３、及び第四側面１４）とを有する。図１に示されるように、これら４つの側面１１，１２，１３，１４は、表示面１５の周りに設けられている。
【００１４】
表示部５は、携帯端末１の表示面１５に設けられ、例えば各種の機能アイコンが表示されたメニュー画面、メール選択画面、メール本文画面、文字入力画面などの画面が分割可能に表示される部分である。表示部５は、図１に示す例では矩形状をなしている。
【００１５】
位置検出部３は、ユーザが選択する側面上の特定の位置を検出する部分である。位置検出部３は、例えば圧電センサである。圧電センサは、圧電効果を利用した受動素子であり、ピエゾ素子ともいわれる。位置検出部３では、ユーザの選択した側面上の特定の位置に対応する位置に存在する圧電体に加えられた力を電圧に変換することにより、その選択される特定の位置に関する情報を電気信号として後述する表示制御部１０１に出力する。
【００１６】
位置検出部３は、表示部５を囲うように端末本体１０の４つの側面１１，１２，１３，１４にわたって複数個設けられている。図１に示す例では、位置検出部３は、端末本体１０の４つの側面１１，１２，１３，１４にそれぞれ設けられた４つの溝部２（すなわち第一溝部２１、第二溝部２２、第三溝部２３、及び第四溝部２４）に埋設されている。
【００１７】
より具体的に位置検出部３は、複数の角部位置検出部３１，３２，３３，３４と、複数の側部位置検出部３１１，３１２，３１３，３１４とを含んでいる。４つの角部位置検出部３１，３２，３３，３４は、端末本体１０の４つの側面１１，１２，１３，１４がそれぞれ結合する４つの角部に対応する位置にそれぞれ設けられている。一方、複数の側部位置検出部３１１，３１２，３１３，３１４は、隣り合う角部位置検出部３１，３２，３３，３４同士を直線状に繋ぐ位置に設けられている。また複数の側部位置検出部３１１，３１２，３１３，３１４は、隣接する複数の側部位置検出部同士と一定の間隔を置いて配列されている。
【００１８】
物理キー４は、ユーザによる側面上の特定の位置の選択を簡便に行うための補助具である。物理キー４は、複数の位置検出部３上をスライド移動可能となっている。具体的に物理キー４は、端末本体１０の側面１１，１２，１３，１４を角部と溝部２（第一溝部２１、第二溝部２２、第三溝部２３、及び第四溝部２４）に沿ってスライド移動可能となっている。
【００１９】
ユーザは、位置検出部３が設けられている側面上の特定の位置に物理キー４を固定することにより、側面上の特定の位置の選択を簡便に行うことができる。図１では、第一物理キー４１、第二物理キー４２、及び第三物理キー４３の３つの物理キーを用いる例を示す。例えば初期状態として、第一物理キー４１は、第一側面１１と第四側面１４とが結合する角部に対応する位置に存在する角部位置検出部３１上に固定されている。また第二物理キー４２は、第一側面１１と第二側面１２とが結合する角部に対応する位置に存在する角部位置検出部３２上に固定されている。また第三物理キー４３は、第三側面１３と第四側面１４とが結合する角部に対応する位置に存在する角部位置検出部３４上に固定されている。これらの物理キーにより、角部位置検出部３１、角部位置検出部３２、及び角部位置検出部３４の存在する位置にそれぞれ対応する側面上の特定の位置が３つ選択されており、この初期状態では表示部５には１つの画面が表示されている。
【００２０】
物理キー４のスライド移動について図２（ａ）〜図２（ｃ）を用いて説明する。図２（ａ）〜図２（ｃ）は、端末本体１０の側面を示す図である。例えば図２（ａ）に示すように、端末本体１０の角部において、物理キー４の長軸方向を溝部２の延在方向に対して垂直な方向に向かせることにより、物理キー４の位置が固定される。また図２（ｂ）に示すように、物理キー４の長軸方向を溝部２の延在方向に対して平行な方向に向かせることにより、物理キー４は端末本体１０の側面をスライド移動可能となる。また図２（ｃ）に示すように、スライド移動させた物理キー４の長軸方向を溝部２の延在方向に対して垂直な方向に向かせることにより、物理キー４を所望の位置に固定できる。
【００２１】
図３は、本発明に係る携帯端末の機能的な構成要素を示すブロック図である。携帯端末１は、機能的な構成要素として表示制御部１０１を備えており、ユーザにより選択された位置検出部３の位置の検出に基づいて、表示部５の画面の分割表示を制御する機能を有している。以下、各構成要素について説明する。
【００２２】
表示制御部１０１は、ユーザにより選択され位置検出部３によって検出された特定の位置を通る分割線に基づいて、表示部５に表示される画面を分割する制御を行う部分である。具体的に表示制御部１０１では、位置検出部３から出力される位置検出部の位置に関する電気信号に基づいて、表示部５に画面の分割表示に関する信号を出力する。
【００２３】
ここで、上述のように表示部５の画面分割表示は、ユーザにより選択された側面上の特定の位置を通る分割線に基づいて行われるが、角部位置検出部３１，３２，３３，３４の存在する位置に対応する側面上の特定の位置のみがユーザにより選択されている場合には、画面の分割表示には寄与しない。一方、側部位置検出部３１１，３１２，３１３，３１４の存在する位置に対応する側面上の特定の位置がユーザにより選択されている場合には、表示制御部１０１は、その選択された特定の位置を通る分割線に基づいて、表示部５の画面が分割表示の制御を行う。例えば、側部位置検出部の存在する位置に対応する側面上の特定の位置がユーザにより選択されている場合、その特定の位置を始点として、選択された特定の位置と対向する位置に向かって延びる分割線が画成されることにより、表示部５が直線的に分割表示可能となる。
【００２４】
以下に、携帯端末１の表示部５における画面分割の操作の具体例について、図４を参照しながら説明する。ここでは、３つの物理キーを用いてユーザが側面上の特定の位置を選択する例を説明する。まず初期状態では、表示部５は１つの画面のみを表示している。この場合、ユーザの選択により３つの物理キーの全てが、いずれかの角部位置検出部の存在する位置に対応する側面上の特定の位置に固定されている。例えば図４（ａ）に示すように、第一物理キー４１は、右下の角部位置検出部３１の存在する位置に対応する側面上の特定の位置に固定されている。また第二物理キー４２は、右上の角部位置検出部３２の存在する位置に対応する側面上の特定の位置に固定されている。また第三物理キー４３は、左下の角部位置検出部３４の存在する位置に対応する側面上の特定の位置に固定されている。位置検出部３は、選択された側面上の特定の位置を検出し、その選択された特定の位置に関する電気信号を表示制御部１０１に出力する。この場合、角部位置検出部の存在する位置に対応する側面上の特定の位置のみが選択されているので、表示部５の画面の分割表示には寄与せず、図４（ａ）に示すような例えば「メール受信」を示す１つの第一画面５１のみが表示部５の全面に表示される。ここで例えばユーザが第一画面５１の「メール受信」を示す部分をタッチ操作することにより、第一画面５１には例えば「メールの件名ビュー」などが表示される。
【００２５】
続いて、ユーザの操作により、角部位置検出部の存在する位置に対応する側面上の特定の位置に固定されていた１つの物理キーをスライド移動させた後、いずれかの側部位置検出部の存在する位置に対応する側面上の特定の位置に、この物理キーを固定する。例えば図４（ｂ）に示すように、ユーザが角部位置検出部３２の存在する位置に対応する側面上の特定の位置に固定されていた第二物理キー４２を左方向にスライド移動させた後、１つの側部位置検出部３１２の存在する位置に対応する側面上の特定の位置に固定する。この場合、３つの物理キー４１，４２，４３を介して選択される側面上の特定の位置が３つ選択されている。位置検出部３では、この選択された角部位置検出部３１、角部位置検出部３４、及び側部位置検出部３１２の存在する位置に対応する側面上の３つの特定の位置が検出され、その選択された特定の位置に関する電気信号が表示制御部１０１に出力される。そして、表示制御部１０１は、選択された側部位置検出部３１２の存在する位置に対応する側面上の特定の位置を通る分割線Ｋ１を基準として、表示部５の画面の分割表示の制御を行う。より具体的に、選択された側部位置検出部３１２の存在する位置に対応する側面上の特定の位置を始点として、この特定の位置と対向する位置に向かって延びる分割線Ｋ１が画成されることにより、表示部５が直線的に横に２分割される。これにより、第一画面５１と第二画面５２とが表示部５に２分割表示される。第一画面５１及び第二画面５２には、ユーザの選択する所望の画面が表示される。例えば、第一画面５１に表示されている「メールの件名ビュー」から所望のメールの件名をタッチ操作により選択すると、第二画面５２に選択した「受信メールの本文」が表示される。
【００２６】
以上説明したように、この携帯端末１は、表示部５が設けられた表示面１５と、表示面１５の周りに設けられた複数の側面１１，１２，１３，１４と、を有し、ユーザが選択する側面上の特定の位置を検出する位置検出部３と、位置検出部３によって検出された特定の位置を通る分割線に基づいて、表示部５に表示される画面を分割する表示制御部１０１と、を備えている。この携帯端末１では、ユーザは、表示面１５の周りに設けられた側面のうち特定の位置を選択することができ、この選択された特定の位置は位置検出部３によって検出される。表示制御部１０１は、位置検出部３で検出されたこの特定の位置を通る分割線に基づいて、表示部５に表示される画面を分割する。このように、ユーザの選択した側面の特定の位置を基準として、携帯端末１の表示部５の画面が分割表示される。したがって、分割表示される各画面の配置や大きさをユーザが自在に設定することができる。
【００２７】
またこの携帯端末１では、位置検出部３が、携帯端末１の表示面１５ではなく、側面１１，１２，１３，１４に設けられているので、携帯端末１をユーザが握ったまま、簡単に側面上の特定の位置の選択操作をすることができる。さらに、物理キーを併用することにより、側面上の特定の位置の選択操作をより確実かつスムーズにできる。
【００２８】
以上、本実施形態に係る携帯端末１の構成や操作を説明したが、本発明はこれに限られない。例えば、図４（ｂ）の操作後、ユーザの操作によりスライド移動させた物理キー４２をさらに左方向にスライド移動させた後、角部位置検出部３３の存在する位置に対応する側面上の特定の位置上に固定してもよい。例えば図５（ａ）に示すように、ユーザが側部位置検出部３１２上の第二物理キー４２をさらに左方向にスライド移動させた後、左上の角部位置検出部３３の存在する位置に対応する側面上の特定の位置上に固定する。この場合、角部位置検出部３１、角部位置検出部３３、及び角部位置検出部３４の存在する位置に対応する側面上の特定の位置のみが選択されているので、表示部５の画面の分割表示には寄与せず、第二画面５２のみが表示部５の全面に表示される。第二画面５２には、例えば「メールの本文」を示す１つの画面のみが大きく表示される。したがって、上述のように、ユーザの所望する特定の位置を移動しながら選択することにより、表示部５がその選択された特定の位置を通る分割線Ｋ１を基準としてユーザの望む配置や大きさとした第一画面５１と第二画面５２からなる２画面が横に分割表示された後に、さらにその特定の位置の選択を解除して、別の特定の位置（ここでは、角部位置検出部３３の存在する位置に対応する側面上の特定の位置）を選択することにより、ユーザの望む配置や大きさとした第二画面５２を表示できる。
【００２９】
また、図４（ａ）の操作後、例えば図５（ｂ）に示すように、ユーザが、左下の角部位置検出部３４の存在する位置に対応する側面上の特定の位置に固定されている第三物理キー４３を上方向にスライド移動させた後、１つの側部位置検出部３１２の存在する位置に対応する側面上の特定の位置上に固定してもよい。この場合、３つの物理キーを介して、角部位置検出部３１、角部位置検出部３２、及び側部位置検出部３１３の存在する位置に対応する側面上の３つの特定の位置が選択されている。このうち角部位置検出部３１及び角部位置検出部３２の存在する位置に対応する側面上の特定の位置の選択は、画面の分割表示には寄与しない。一方、側部位置検出部３１２の存在する位置に対応する側面上の特定の位置の選択は、画面の分割表示に寄与する。すなわち、表示制御部１０１は、この側部位置検出部３１２の存在する位置に対応する側面上の特定の位置を通る分割線Ｋ２を基準として、表示部５の画面の分割表示の制御を行う。例えば、選択された特定の位置を始点として、この選択された特定の位置と対向する位置に向かって延びる分割線Ｋ２が画成されることにより、表示部５が直線的に縦に２分割される。このようにユーザの選択操作によって、所望の大きさとした第一画面５１及び第二画面５２を表示部５に縦に２分割表示させることができる。例えば、第一画面５１に「メールの件名ビュー」が表示されている場合に、ユーザが所望のメールの件名をタッチ操作により選択すると、第二画面５２に選択した「受信メールの本文」が表示される。
【００３０】
さらに、図５（ｂ）の操作後、例えば図６（ａ）に示すように、ユーザが右上の角部位置検出部３２の存在する位置に対応する側面上の特定の位置に固定されている第二物理キー４２を左方向にスライド移動させた後、１つの側部位置検出部３１２の存在する位置に対応する側面上の特定の位置に固定してもよい。この場合、３つの物理キーを介して、角部位置検出部３１、側部位置検出部３１２、及び側部位置検出部３１３の存在する位置に対応する側面上の特定の位置が選択されている。このうち角部位置検出部３１の存在する位置に対応する側面上の特定の位置の選択は、画面の分割表示には寄与しない。一方、側部位置検出部３１２及び側部位置検出部３１３の存在する位置に対応する側面上の特定の位置の選択は、画面の分割表示に寄与する。表示制御部１０１は、側部位置検出部３１２及び側部位置検出部３１３の存在する位置に対応する側面上の２つの特定の位置を通る２つの分割線Ｋ２，Ｋ３を基準として、表示部５の画面を分割表示可能とする。例えば、側部位置検出部３１３の存在する位置に対応する側面上の特定の位置を始点として、例えばこの特定の位置と対向するに向かって延びる分割線Ｋ２が画成されることによって表示部５の一部が直線的に縦に分割されるとともに、側部位置検出部３１２の存在する位置に対応する側面上の特定の位置を始点として、例えばこの特定の位置と対向する位置に向かって延びる分割線Ｋ３が画成されることによって表示部５の一部が直線的に横に分割される。
【００３１】
このように、位置検出部３１３，３１２は、ユーザが選択する一の側面１３上の第一の（特定の）位置と、ユーザが選択する一の側面１３と交差する他の側面１２上の第二の（特定の）位置と、を検出し、表示制御部１０１は、第一の位置を通る第一分割線Ｋ２と、第二の位置を通る第二分割線Ｋ３とに基づいて、表示部５に表示される画面を分割することが好ましい。このようなユーザによる側面１２，１３上の２つの特定の位置の選択によって、所望の配置や大きさとした第一画面５１、第二画面５２、及び第三画面５３を表示部５に３分割表示させることができる。従って、ユーザの選択操作により、例えば第一画面５１に「メールの件名ビュー」を表示させ、第二画面５２に「受信メールの本文」を表示させ、第三画面５３に「返信メールの本文」を所望の配置、大きさとして表示させることができる。
【００３２】
また、図６（ａ）に示す例では、一方の分割線Ｋ３が、他方の分割線Ｋ２と交わる箇所まで延びて、その他方の分割線Ｋ２を突き抜けさせないことにより、画面が３分割表示されている。しかし、一方の分割線Ｋ３が、他方の分割線Ｋ２と交わる箇所まで延びつつ、他方の分割線Ｋ２を突き抜けさせてさらに画面の外縁側まで延ばすようにすることにより、画面を４分割表示することもできる。このような分割線の画成の設定操作は、ユーザによって予め行うことができ、表示制御部１０１により実行させることができる。
【００３３】
また、図６（ａ）の操作後、例えば図６（ｂ）に示すように、さらに第二物理キー４２を左方向にスライド移動させた後、左上の角部位置検出部３３２の存在する位置に対応する側面上の特定の位置に第二物理キー４２を固定するとともに、右下の角部位置検出部３１上の第一物理キー４１を左にスライド移動させた後、左下の角部位置検出部３４上に固定してもよい。この場合、３つの物理キーを介して、角部位置検出部３３、側部位置検出部３１３、及び角部位置検出部３４の存在する位置に対応する側面上の特定の位置が選択されている。このうち角部位置検出部３３及び角部位置検出部３４の存在する位置に対応する側面上の２つの特定の位置の選択は、画面の分割表示には寄与しない。一方、側部位置検出部３１３の存在する位置に対応する側面上の特定の位置の選択は、画面の分割表示に寄与する。表示制御部１０１は、この特定の位置を通る分割線Ｋ２を基準として、表示部５の画面が分割表示可能とする。例えば選択された側部位置検出部３１３の存在する位置に対応する側面上の特定の位置を始点として、例えばこの特定の位置と対向する位置に向かって延びる分割線Ｋ２が画成されることにより、表示部５が直線的に縦に分割される。このようなユーザによる側面上の特定の位置の選択によって、所望の配置や大きさとした第三画面５３及び第四画面５４を表示部５に縦に２分割表示させることができる。ユーザの選択操作により、例えば第三画面５３に「返信メールの本文」を表示させ、第四画面５４に「キーボード入力画面」などを表示させることができる。
【００３４】
さらにまた、図６（ａ）の操作後、例えば図７に示すように、ユーザが第一物理キー４１を左方向にスライド移動させた後、側部位置検出部３１４の存在する位置に対応する側面上の特定の位置上に固定してもよい。この場合、３つの物理キーを介して、側部位置検出部３１２、側部位置検出部３１３、及び側部位置検出部３１４の存在する位置に対応する側面上の３つの特定の位置が選択されている。表示制御部１０１は、これら３つの特定の位置をそれぞれ通る３つの分割線Ｋ２，Ｋ３，Ｋ４を基準として、表示部５の画面を分割表示可能とする。例えば、側部位置検出部３１３の存在する位置に対応する側面上の特定の位置を始点として、例えばこの特定の位置と対向する位置に向かって延びる分割線Ｋ２と、側部位置検出部３１２の存在する位置に対応する側面上の特定の位置を始点として、例えばこの特定の位置と対向する位置に向かって延びる分割線Ｋ３と、なおかつ側部位置検出部３１４の存在する位置に対応する側面上の特定の位置を始点として、例えばこの特定の位置と対向する位置に向かって延びる分割線Ｋ４により、表示部が、図７に示すように４分割表示される。このようにユーザの選択操作によって、所望の配置や大きさとした第一画面５１、第二画面５２、第三画面５３、及び第四画面５４を表示部５に４分割表示させることができる。ユーザの選択操作により、例えば第一画面５１に「メールの件名ビュー」を表示させ、第二画面５２に「キーボード入力画面」を表示させ、第三画面５３に「返信メールの本文」を表示させ、第四画面５４に「テンキー入力画面」などを表示させることができる。
【００３５】
また、図７に示す例では、２つの分割線Ｋ３と分割線Ｋ４が、他の分割線Ｋ２と交わる箇所まで延びて、この他の分割線Ｋ２を突き抜けさせないことにより、画面が４分割表示されている。しかし、分割線Ｋ３または／及び分割線Ｋ４が、他の分割線Ｋ２と交わる箇所まで延びつつ、この他の分割線Ｋ２を突き抜けさせてさらに画面の外縁側まで延びさせることにより、画面を５分割または６分割することもできる。このような分割線の画成の設定操作は、ユーザによって予め行うことができ、表示制御部１０１により実行させることができる。
【００３６】
以下、変形例を説明する。上記実施形態では、ユーザにより選択される側面上の特定の位置が３つである例を示したが、この数に限定されず、１つや２つなどでもよい。ユーザにより選択される側面上の特定の位置の数を増やすほど、画面分割の数も増やすことができる。また、ユーザによる側面上の特定の位置の選択に物理キー４を用いる例を示したが、物理キー４は必ずしも必要ではない。また、位置検出部が圧電センサである例を示したが、位置検出部は静電センサでもよく、この場合、物理キー４は不要である。静電センサは、ユーザが触れる指先などのわずかな静電容量の変化で、その位置の情報を電気信号に変えるものである。具体的には、ユーザにより選択される側面上の特定の位置に対応する位置に存在する静電センサを通じて、ユーザである人体の寄生容量を、ユーザの指と静電センサの電極の容量結合を通じて検出し、容量変位を電圧変化として、位置検出部３が検出する。位置検出部３では、検出した電圧をＡＤ変換器で変換したデジタル値を元に取り出した電圧を適宜補正して、電気信号として表示制御部１０１へ出力する。
【００３７】
また、ユーザの操作（例えばタッチ操作）によって、表示部５に分割表示される各画面の表示内容を各画面内において自由に左右上下に移動させることや、その各画面内においてを拡大縮小表示することも可能である。このように、ユーザの好みに応じた画面表示を実現できる。また上記では、携帯端末１がタッチパネル操作式である例を示したが、タッチパネル操作式以外の例えばボタン操作式の携帯端末などであってもよい。また上記では、携帯端末１が、表示面１５、裏面１６、４つの側面１１，１２，１３，１４の計６つの面からなる直方体形状である例を示したが、携帯端末１の形状はこれに限定されず、例えば表示面の周りに湾曲した側面が設けられた卵型形状などであってもよい。これらのいずれの場合においても、上記実施形態と同様に、表示部に複数の画面を分割表示する場合、分割表示される各画面の配置や大きさをユーザが自在に設定することができる携帯端末を提供することができる。
【符号の説明】
【００３８】
１…携帯端末、２…溝部、３…位置検出部、４…物理キー、５…表示部、１０…端末本体、１１，１２，１３，１４…側面、１５…表示面、１６…裏面、１０１…表示制御部。
【図１】
2011209881.tif 000003
【図２】
2011209881.tif 000004
【図３】
2011209881.tif 000005
【図４】
2011209881.tif 000006
【図５】
2011209881.tif 000007
【図６】
2011209881.tif 000008
【図７】
2011209881.tif 000009